(57)【要約】      （修正有）【課題】リング一周あたり可及的に多数の抗菌性を備えた単位永久磁石を取り付けることができ、身体各部へ適度な磁力線を作用できると共に抗菌作用を与えることのできる永久磁石リングを提供する。【解決手段】複数の単位永久磁石８を配設して成る永久磁石リングであって、上記複数の単位永久磁石のそれぞれの、表面に銅，銀，亜鉛，スズ，イリジウムの内少なくとも１種の金属の被膜１１を形成した。【選択図】図１０
2005230201.tif 000002
【特許請求の範囲】
【請求項１】
複数の単位永久磁石のそれぞれを、円柱状，球状，平盤状，円盤状等に形成するとともに、この単位永久磁石の所定数を各々の側面Ｒで相互に磁気吸着させて所定の大きさのリング状に形成して成る永久磁石リングに於いて、上記単位永久磁石のそれぞれの表面に銅，銀，亜鉛，スズ，イリジウムのうち少なくとも一種の金属の被膜が形成されていることを特徴とする抗菌性を備えた永久磁石リング。
【請求項２】
上記単位永久磁石の表面の銅の被膜は、銅の下地層と、その上のニッケルの下地層の上にメッキされた銅メッキ層であることを特徴とする請求項１記載の抗菌性を備えた永久磁石リング。
【請求項３】
上記複数の単位永久磁石の全部又はその内の幾つかを互いに他に対して各々形状，大きさを変え、全体としてリング状に形成されて成り、この永久磁石リングの身体の装着部位の形状，大きさに合わせて永久磁石リングを構成する単位永久磁石の皮膚への接触個数を調節できるようにしたことを特徴とする請求項１又は請求項２記載の抗菌性を備えた永久磁石リング。
【請求項４】
複数の単位永久磁石２１ａ，２１ｂ，２１ｃ…を配設して成る永久磁石リングであって、上記各単位永久磁石２１ａ，２１ｂ，２１ｃ…は円柱状、球状、平盤状、円盤状等に形成され、この単位永久磁石２１ａ，２１ｂ，２１ｃ…の所定数を各々の側面Ｒで相互に磁気吸着させてリング状にして成る永久磁石リングであって、上記複数の単位永久磁石２１ａ，２１ｂ，２１ｃ…の各々はネオジウム・鉄・ボロン磁石やサマリウム・コバルト磁石等の希土類磁石であると共に希土類元素を含む原料を磁界中成形する時に形成される容易磁化方向Ｘ−Ｘ方向に沿って、焼結後に着磁することによって上記容易磁化方向Ｘ−Ｘに直交する一方の側面ＲをＮ極又はＳ極、上記一方の側面の反対端となる他方の側面ＲにＳ極又はＮ極の磁極を形成して成る一軸異方性磁石であり、而もこの単位永久磁石の磁極が形成された側面Ｒは湾曲面として形成され、これら一軸異方性磁石である単位永久磁石２１ａ，２１ｂ，２１ｃ…の所定数を、上記湾曲面である磁極が形成された側面Ｒで相互に線接触又は点接触態様で磁気吸着させて所定の大きさのリング状に形成して成る永久磁石リングに於いて、上記単位永久磁石のそれぞれの表面に銅，銀，亜鉛，スズ及びイリジウムのうち少なくとも１種の金属の被膜が形成されていることを特徴とする抗菌性を備えた永久磁石リング。
【請求項５】
上記単位永久磁石の表面の銅の被膜は、銅の下地層と、その上のニッケルの下地層の上にメッキされた銅メッキ層であることを特徴とする請求項４記載の抗菌性を備えた永久磁石リング。
【請求項６】
上記複数の単位永久磁石の全部又はその内の幾つかを互いに他に対して各々形状，大きさを変え、全体としてリング状に形成されて成り、この永久磁石リングの身体の装着部位の形状，大きさに合わせて永久磁石リングを構成する単位永久磁石の皮膚への接触個数を調節できるようにしたことを特徴とする請求項４又は請求項５記載の抗菌性を備えた永久磁石リング。
【請求項７】
永久磁石リングを構成する各単位永久磁石２１ａ，２１ｂ，２１ｃ…が円柱状、球状、平盤状、円盤状等に形成され、この単位永久磁石２１ａ，２１ｂ，２１ｃ…の所定数が各々の側面Ｒで相互に磁気吸着されて成る永久磁石リングに於ける上記単位永久磁石２１ａ，２１ｂ，２１ｃ…の製法にであって、希土類元素を含む原料を基にインゴットを製し、そのインゴットを粉砕後、磁界中成形する際に容易磁化方向Ｘ−Ｘを定めて結晶を揃え、上記磁界中成形によりブロック状成形体を製し、その後焼結してブロック状焼結体を製し、次いで切断することにより複数の単位永久磁石素材を得、これらの各々を上記円柱状、球状、平盤状、円盤状等に加工後、表面に銅，銀，亜鉛，スズ及びイリジウムのうち少なくとも１種の金属のメッキ層を形成し、次いでこれらを上記容易磁化方向Ｘ−Ｘに沿って着磁することによって各単位永久磁石２１ａ，２１ｂ，２１ｃ…の上記容易磁化方向Ｘ−Ｘに直交する一方の側面ＲにＮ極又はＳ極、この一方の側面の反対端となる他方の側面ＲにＳ極又はＮ極の磁極を形成し、而もこの単位永久磁石の磁極が形成された側面Ｒを湾曲面に形成することを特徴とする抗菌性を備えた永久磁石リングに於ける単位永久磁石の製法。
【発明の詳細な説明】
【技術分野】
【０００１】
本発明は永久磁石リングに係わり、更に詳しくは身体の足の指、足首、手首等に装着して、永久磁石リングから出力される磁気の作用により血行を促進させると共に、抗菌作用をも併せもつ抗菌性を備えた永久磁石リングに関するものである。
【背景技術】
【０００２】
周知の通り、永久磁石を使用してリングを構成し、それを身体の手首、足首、首回り等に装着し、上記永久磁石リングから出力される磁気の磁気作用により血行を促進する等の効果を期待しているネックレス又はブレスレット等の身飾品として永久磁石リングが多々実用化され、考案としても提案されている。
【０００３】
その内の１つの従来例は、日本の実用新案登録番号第３０３３６４３号である。即ち、湾曲し、その両端が対向している弾性のあるリングと、そのリングに固定された４個の磁石よりなり、上記リングを人体の首回りに取り付けたとき、上記のうち２個の磁石を頚動脈に押接するように固定配置し、残りの２個の磁石を首筋の中央部から両側に向かって所定距離だけ離れた位置に押接するように固定配置し、上記リングの両端部を連結手段により連結し、その連結手段により上記リングの大きさを調節可能にした磁気利用健康具である。
もう１つの従来は、実用新案登録番号第３０２１２２５号である。即ち、人体の首、手首等に装着する装身具基体を多数の連結部材で連鎖状に連結させたネックレス又はブレスレット等の装身具において、シリコーン等の液化樹脂と麦飯石、蛇紋岩、角閃石、褐廃石、沸石、蛍石、フェルソング石等の多種類の鉱石を粉砕した微粉末鉱石とスギゴケ、ゼニゴケ等のコケ類植物を乾燥させ粉末状とした微粉末植物とを混和させて被覆用主剤とし、該被覆用主剤で永久磁石を被抱させた後に加熱処理して多数のチップ状の基剤を形成し、該基剤を前記装身具基体の人体接触面に形成された凹陥部へ埋設させたことを特徴とする健康装身具である。
【特許文献１】実用新案登録第３０３３６４３号公報（実用新案登録請求の範囲）
【特許文献２】実用新案登録第３０２１２２５号公報（実用新案登録請求の範囲）
【０００４】
上記従来１及び従来例２の技術の場合、連結部材に対して永久磁石を固定して構成されている。即ち、上記実用新案登録第３０３３６４３号の場合には、リングに対して容器を固定し、その容器中に永久磁石を配設している。もう１つの実用新案登録第３０２１２２５号の場合は、基体に永久磁石を埋設し、その基体をリング状に連結している。
【発明の開示】
【発明が解決しようとする課題】
【０００５】
上記従来技術の場合、永久磁石をリング上に又はリング状の配列位置に固定する為に容器や基体を設け、それらに永久磁石を埋込等して磁気利用健康具、或いは健康装身具等を構成するので製造工程が多くかかり、製造コストが高くなる問題点があった。特に容器や基体を必要とし、それらが一定の大きさを有するので、リング一周あたりに取り付けることのできる永久磁石の数が少なくなり易く、従来の磁気利用健康具や健康装身具の場合においては、永久磁石による磁力線の身体各部への作用も少なくなり勝となる問題があった。特に、上記磁気作用の他に永久磁石の磁石面を身体の装着部位の皮膚面に接触させてその接触により抗菌作用等を出そうとすると、リング一周あたりの永久磁石の個数を多くできないので、これら従来技術では永久磁石の皮膚への接触による作用効果を効率的に発揮させることが困難であった。
【０００６】
従って、本発明の目的とするところは、リング一周あたり可及的に多数の単位永久磁石を取り付けることができるようにすることによって、使用者の身体各部へ作用する磁力線の密度が濃い永久磁石リングを提供できるようにするのは勿論のこと、特にリング一周あたり可及的に多数の単位永久磁石を取り付け、身体装着部位の皮膚面に多数の永久磁石の表面が接触するようにし、その永久磁石の表面に抗菌性能を有する金属の皮膜を形成することにより，その抗菌性被膜の皮膚に対する抗菌効果をよりよく発揮せしめ、例えば水虫等に対して効果的な抗菌性を備えた永久磁石リングを提供するにある。
【０００７】
そして、本発明の他の目的とするところは、ワイヤー等の機械的な結合手段を用いることなく永久磁石リングを構成する複数の抗菌性を備えた単位永久磁石相互間の磁気吸着が強力で、足指、腕、首、足首等に装着した場合、その抗菌性のある一つ一つの単位永久磁石が外脱したりすることなくリング状をしっかりと保てる抗菌性を備えた永久磁石リングを提供するにある。
【０００８】
そして、永久磁石リングを構成する単位永久磁石リング同志の磁気吸着が強いことによって容易に離脱しなくても、互いに吸着したまま互いの吸着位置の変化が容易であるから、単位永久磁石の表面を装着部位の皮膚へ接触し易くでき、単位永久磁石の表面の抗菌性被膜を例えば銅メッキの皮膜を、皮膚に接触させ易くできる抗菌性を備えた永久磁石リングを提供できる。
【課題を解決するための手段】
【０００９】
本発明は上記目的を達成する為に次の技術的手段を有する。即ち本発明は複数の単位永久磁石のそれぞれを、円柱状，球状，平盤状，円盤状等に形成するとともに、この単位永久磁石の所定数を各々の側面Ｒで相互に磁気吸着させて所定の大きさのリング状に形成して成る永久磁石リングに於いて、上記単位永久磁石のそれぞれの表面に銅，銀，亜鉛，スズ，イリジウムのうち少なくとも一種の金属の被膜が形成されていることを特徴とする抗菌性を備えた永久磁石リングである。
【００１０】
更に本発明は上記単位永久磁石の表面の銅の被膜は、銅の下地層と、その上のニッケルの下地層の上にメッキされた銅メッキ層であることを特徴とする抗菌性を備えた永久磁石リングである。
【００１１】
更に本発明は、上記複数の単位永久磁石の全部又はその内の幾つかを互いに他に対して各々形状，大きさを変え、全体としてリング状に形成されて成り、この永久磁石リングの身体の装着部位の形状，大きさに合わせて永久磁石リングを構成する単位永久磁石の皮膚への接触個数を調節できるようにしたことを特徴とする抗菌性を備えた永久磁石リングである。
【００１２】
又本発明は、複数の単位永久磁石２１ａ，２１ｂ，２１ｃ…を配設して成る永久磁石リングであって、上記各単位永久磁石２１ａ，２１ｂ，２１ｃ…は円柱状、球状、平盤状、円盤状等に形成され、この単位永久磁石２１ａ，２１ｂ，２１ｃ…の所定数を各々の側面Ｒで相互に磁気吸着させてリング状にして成る永久磁石リングであって、上記複数の単位永久磁石２１ａ，２１ｂ，２１ｃ…の各々はネオジウム・鉄・ボロン磁石やサマリウム・コバルト磁石等の希土類磁石であると共に希土類元素を含む原料を磁界中成形する時に形成される容易磁化方向Ｘ−Ｘ方向に沿って、焼結後に着磁することによって上記容易磁化方向Ｘ−Ｘに直交する一方の側面ＲをＮ極又はＳ極、上記一方の側面の反対端となる他方の側面ＲにＳ極又はＮ極の磁極を形成して成る一軸異方性磁石であり、而もこの単位永久磁石の磁極が形成された側面Ｒは湾曲面として形成され、これら一軸異方性磁石である単位永久磁石２１ａ，２１ｂ，２１ｃ…の所定数を、上記湾曲面である磁極が形成された側面Ｒで相互に線接触又は点接触態様で磁気吸着させて所定の大きさのリング状に形成して成る永久磁石リングに於いて、上記単位永久磁石のそれぞれの表面に銅，銀，亜鉛，スズ及びイリジウムのうち少なくとも１種の金属の被膜が形成されていることを特徴とする抗菌性を備えた永久磁石リングである。
【００１３】
又本発明は、上記単位永久磁石の表面の銅の被膜は、銅の下地層と、その上のニッケルの下地層の上にメッキされた銅メッキ層であることを特徴とする抗菌性を備えた永久磁石リングである。
【００１４】
加えて本発明は、上記複数の単位永久磁石の全部又はその内の幾つかを互いに他に対して各々形状，大きさを変え、全体としてリング状に形成されて成り、この永久磁石リングの身体の装着部位の形状，大きさに合わせて永久磁石リングを構成する単位永久磁石の皮膚への接触個数を調節できるようにしたことを特徴とする抗菌性を備えた永久磁石リングである。
【００１５】
更に本発明は、永久磁石リングを構成する各単位永久磁石２１ａ，２１ｂ，２１ｃ…が円柱状、球状、平盤状、円盤状等に形成され、この単位永久磁石２１ａ，２１ｂ，２１ｃ…の所定数が各々の側面Ｒで相互に磁気吸着されて成る永久磁石リングに於ける上記単位永久磁石２１ａ，２１ｂ，２１ｃ…の製法にであって、希土類元素を含む原料を基にインゴットを製し、そのインゴットを粉砕後、磁界中成形する際に容易磁化方向Ｘ−Ｘを定めて結晶を揃え、上記磁界中成形によりブロック状成形体を製し、その後焼結してブロック状焼結体を製し、次いで切断することにより複数の単位永久磁石素材を得、これらの各々を上記円柱状、球状、平盤状、円盤状等に加工後、表面に銅，銀，亜鉛，スズ及びイリジウムのうち少なくとも１種の金属のメッキ層を形成し、次いでこれらを上記容易磁化方向Ｘ−Ｘに沿って着磁することによって各単位永久磁石２１ａ，２１ｂ，２１ｃ…の上記容易磁化方向Ｘ−Ｘに直交する一方の側面ＲにＮ極又はＳ極、この一方の側面の反対端となる他方の側面ＲにＳ極又はＮ極の磁極を形成し、而もこの単位永久磁石の磁極が形成された側面Ｒを湾曲面に形成することを特徴とする抗菌性を備えた永久磁石リングに於ける単位永久磁石の製法である。
【発明の効果】
【００１６】
以上詳述した如く請求項１，２の発明によると、リング一周あたり可及的に多数の抗菌性を備えた単位永久磁石を取り付けることができ、使用者の身体各部へ作用する磁力線の密度が濃いと共に、抗菌性の単位永久磁石の表面を皮膚へ接触し易く抗菌作用の高い永久磁石リングを提供できる。
【００１７】
そして、請求項３記載の発明によると、上記の利点に加えて身体の装着部位の表面が微妙に凹凸していても，大小，形状の相違する抗菌性の単位永久磁石を互いに吸着してリングとするので、その大小，形状を選択してその凹凸に即応した単位永久磁石の並び、連結の仕方とすることができるから、より永久磁石を皮膚に接触させ易く、抗菌作用をよりよく発揮できる。
【００１８】
そして、請求項４，５の発明によると、ワイヤー等の機械的な結合手段を用いることなく永久磁石リングを構成する複数の抗菌性を備えた単位永久磁石相互間の磁気吸着が強力で、足指、腕、首、足首等に装着した場合、一つ一つの単位永久磁石が外脱したりすることなくリング状をしっかりと保てた上で、リング一周あたり多数の抗菌性磁石をとりつけることができ、身体装着部位の皮膚面に多数の永久磁石を接触でき、効率よく皮膚表面の抗菌を図れる。
【００１９】
更に上記のように永久磁石リングを構成する複数の単位永久磁石リングの互いの磁気吸着力が強くても、互いの磁気吸着位置を容易に変えられるので、一つ一つの永久磁石を皮膚に接触させ易く、抗菌作用を出し易い。
【００２０】
請求項６の発明によると、上記利点に加えて、身体の装着部位の表面が微妙に凹凸していても，大小，形状の相違する抗菌性の単位永久磁石を互いに吸着してリングとするので、その大小，形状を選択してその凹凸に即応した単位永久磁石の並び、連結の仕方とすることができるから、より永久磁石を皮膚に接触させ易く、抗菌作用をよりよく発揮できる。
【００２１】
そして、請求項７記載の発明によると上記利点を有する抗菌性を備えた永久磁石を容易に製造できる。
【発明を実施するための最良の形態】
【００２２】
次に、添付図面に従い本発明の好ましい実施の形態を説明する。
本発明の永久磁石リング１は図１図示のように使用者の足の指３に取着して使用したり、図２図示のように足首４に取着して使用したり、図３図示のように手首１に取着して使用したりするものである。この他図示せざるも指輪、腕輪、足輪等にも使用できる。
上記永久磁石リング１は、図４に示すような単位の永久磁石５ａ，５ｂ，５ｃ…を、図５に示すように、多数個５ａ，５ｂ，５ｃ，５ｄ…磁気吸着により相互に接続して構成されているものである。図４，５，６の実施形態においては、上記単位の永久磁石５ａ，５ｂ，５ｃ，５ｄ…個々の横断面形状を円形とし、全体を円柱状に形成した例を示している。そして、上記円柱状に形成した単位永久磁石の多数５ａ，５ｂ，５ｃ，５ｄ…の所定数を磁気吸着により接続することにより、所望の大きさに構成することが簡単である。この場合円柱状の単位磁石５ａ，５ｂ，５ｃ，５ｄ…個々について円柱の両端面をＴ、径方向の周面をＲとすると、単位磁石５ａ，５ｂ，５ｃ，５ｄの各々は、図５、図６に示すようにその周面Ｒで互いに磁気吸着している。
【００２３】
図５に、各永久磁石５ａ，５ｂ，５ｃ，５ｄ…が磁気吸着により接続されている様子を示す。本実施の形態の永久磁石リング１は、各永久磁石５ａ，５ｂ，５ｃ，５ｄ…の周面（側面）Ｒにおいて、N極→Ｓ極→Ｎ極→Ｓ極→Ｎ極→Ｓ極→…のように、異なる磁極で相互に接続している。従って、各永久磁石５ａ，５ｂ，５ｃ，５ｄ…は、強力な磁気吸着力で相互に接続することができ、使用中に不測に離脱する問題を無くすことができる。
この場合、各永久磁石５ａ，５ｂ，５ｃ，５ｄ…の表面が皮膚１００に接触する。
【００２４】
上記単位永久磁石５ａ，５ｂ，５ｃ，５ｄ…各々は、例えば、鉄−ボロン系統の希土類によって形成されている磁石である。近年、このような希土類元素を主成分の一つとする永久磁石は、強力な磁力を得ることが可能であることにより、多くの分野で注目されている。上記単位永久磁石５ａ，５ｂ，５ｃ，５ｄを製造するには、成形及び焼結を行なった後に、機械加工や研削加工を行って所定の寸法に仕上げ、さらに表面に抗菌性を有する金属をメッキ等により被膜形成し，もって製造している。この製法の一例は図１７以降に於いて詳細に説明する。
【００２５】
ところで抗菌性金属の膜を被覆形成する場合、銅（Ｃｕ），銀（Ａｇ），亜鉛（Ｚｕ），スズ（Ｓｕ），イリジウム（Ｉｒ）のどれか１種の金属を形成する。
これらは皮膚の分泌物，汗や垢の老廃物に接すると、銅イオン，銀イオン，亜鉛イオン，スズイオン，イリジウムイオンを長期に渡って出し、その触媒作用によって抗菌性を発揮することが知られている。例えば、ブドウ球菌，連鎖状球菌，桿菌の一種であるシュードモナス菌，好気性桿菌に対して殺菌又は抗菌作用をするといわれている。中でも銅は、水虫の原因とされている白セン菌を殺菌するといわれている。従って使用時空気中でゆっくりと酸化して酸化銅へ変わっていく過程で白セン菌を除菌するといわれている。従って図１のように足の指３の皮膚１００にこの銅の膜が形成された単位永久磁石を接触させておくと、水虫の治りがよくなることが確認された。
ところで、上記銅，銀，亜鉛，スズ，イリジウムの膜を形成する方法は色々な手段を用いることができ、電解メッキ法や，場合によっては無電解メッキの他、蒸着法等を用いてもよい。例えば、図８のように下地のニッケルメッキ層９の上に、銅メッキ１０等して、全体として二層としてもよく、図９の断面図に示すように、単位永久磁石５ａ，５ｂ，５ｃ，５ｄ…を構成する希土類８の表面に銅の下地層９を例えば１５ミクロン程度形成し、その上にニッケルの下地層１０を１０ミクロン程度形成し、その上に銅メッキを２０〜３０ミクロン程度形成して三層とする例を上げることができる。
【００２６】
そして、この図４、図５、図６の図示の例では各単位永久磁石３ａ，３ｂ，３ｃ，３ｄ…は皆同じ大きさ、且つ各磁極の磁力の強さも同じに定めてあるが、各永久磁石磁極の磁力の強さを互いに異ならしめてもよく、大きさ，形状を異ならしめてもよい。
【００２７】
例えば、図７（ａ）に示した単位永久磁石６ａ，６ｂ，６ｃ…は、図４で示した単位永久磁石５ａ，５ｂ，５ｃ…と同じであるが、これとは直径が異なり、即ち上記永久磁石６ａ，６ｂ，６ｃ…の直径よりも細い径の単位永久磁石７ａ，７ｂ…を図７（ｂ）に示すように用意する。
【００２８】
そして図８に示すように、永久磁石６ａ，６ｂ，６ｃ…→永久磁石７ａ，７ｂ→永久磁石６ａ，６ｂ，６ｃ…→永久磁石７ａ，７ｂ…→永久磁石６ａ，６ｂ，６ｃ…のように交互に磁気吸着させて太いもの，細いものを交互にしてもよく、太いもの，細いものがランダムに配置されていてもよい。つまり複数の単位永久磁石の全部又はその内の幾つかを互いに他に対して各々、形状，大きさを変え、全体としてリング状に形成し、この永久磁石リングの身体装着部位の形状、大きさに合わせて永久磁石リングを構成する単位永久磁石の皮膚への接触個数を1周節してもよい。例えば、足の指にこの永久磁石リングをとりつける時、指と指の間で隙間が小さいところは小径の永久磁石が位置するようにし、そうでないところは大径の永久磁石が位置するようにしてもよい。また、皮膚の表面の凹凸になじみ易くする為に、大小の径の単位永久磁石を選択して吸着させてリングとしてもよい。
【００２９】
つまり、本実施の形態の永久磁石リング１を身体の足指、手首、腕回り、足首、足回り、首回り等の装着部位に、ネックレス又はブレスレット等として装着した場合、各単位永久磁石間における異極Ｎ，Ｓ間に強力な磁力線が通るので、身体の装着部位に上記強力な磁力線が作用し、その部位及び周辺の血行促進等が図られるものであるが、特に抗菌性の金属被膜が皮膚１００に接触して皮膚１００の抗菌殺菌が図られるものである。
【００３０】
さて、以上までの実施形態では、円柱状の単位永久磁石の例を示したが、図１１〜図１６に従い他の形態の単位永久磁石及び永久磁石リングを説明する。
図１１、図１２の例は単位永久磁石１２ａ，１２ｂ…の個々を球状の形状にした例である。図１１の球状の、単位永久磁石１２ａの１１−１１線に沿う断面図を図１２（ａ）に示し、１２−１２線に沿う断面図を図１２（ｂ）に示してある。このように球状の単位永久磁石１２ａ，１２ｂ，１２ｃ…をその周面（側面）Ｒにて互いに磁気吸着させ、全体を輪状にしたものでもよい。この場合も、銅，銀，亜鉛，スズ，イリジウムのうち少なくとも１種の金属が表面に被覆されている。例えば、銅，ニッケルの下地層９，１０の表面に銅メッキ１１が形成されている。
【００３１】
図１３、図１４の例は単位永久磁石１３ａ，１３ｂ，１３ｃ…を平盤状（小判状）にしたもので、上下端Ｇではなく、左右側面Ｒで図１４に示すように相互に磁気吸着させ、永久磁石リングとしたものである。この場合も、銅，銀，亜鉛，スズ，イリジウムのうち少なくとも１種の金属が表面に被覆されている。例えば、銅，ニッケルの下地層９，１０の表面に銅メッキ１１が形成されている。
【００３２】
図１５（ａ）（ｂ）の例も単位永久磁石１４ａ，１４ｂ，１４ｃ…を円盤状にしたもので、円盤状の端面Ｇではなく、側面Ｒで図１５（ｂ）に示すように相互に磁気吸着させ、永久磁石リングとしたものである。この場合も、銅，銀，亜鉛，スズ，イリジウムのうち少なくとも１種の金属が表面に被覆されている。例えば、銅，ニッケルの下地層９，１０の表面に銅メッキ１１が形成されている。
【００３３】
図１６（ａ）（ｂ）の例は、単位永久磁石１５ａ，１５ｂ，１５ｃ…を平面視して略四角状とし、アールのつけられた側面Ｒで互いに磁気吸着され、永久磁石リングとしたものである。その他単位永久磁石の形としては、横断面が楕円形であって、全体として楕円柱状のもの、横断面が５角形以上の多角形であって、全体として角柱状のものが上げられる。この場合も、銅，銀，亜鉛，スズ，イリジウムのうち少なくとも１種の金属が表面に被覆されている。例えば、銅，ニッケルの下地層９，１０の表面に銅メッキ１１が形成されている。
【００３４】
ところで、上記した抗菌性を備えた永久磁石リング１の実施形態は、所定形状の表面に銅，銀，亜鉛，スズ，イリジウムのうち少なくとも１種の金属被膜を有する単位永久磁石５ａ，５ｂ，５ｃ…又は６ａ，６ｂ，６ｃ…、７ａ，７ｂ…あるいは１２ａ，１２ｂ，１２ｃ…、１３ａ，１３ｂ，１３ｃ…、１４ａ，１４ｂ，１４ｃ…、１５ａ，１５ｂ，１５ｃ…を各々の側面Ｒで相互に磁気吸着させて全体として輪状に、即ち永久磁石のリングと成し、その磁力線作用により身体の装着部位の血行を促進すると共に皮膚に接して抗菌作用を与える為に用いるものであればよく、上記単位永久磁石の製法は種々あり、従って上記単位永久磁石は等方性磁石でも、異方性磁石でも用いることができるが、望ましくは一軸異方性磁石が好適であり、以下図１７以降に従いこの一軸異方性磁石を用いた抗菌性を備えた単位永久磁石及びそのリングの製法を示す。
図１７はこの製法工程図を示したものであって、先ずＳｔｅｐ１で原料１６を準備する。
原料としては希土類、例えばＮｄ−Ｆｅ−Ｂ系（ネオジウム−鉄−ボロン系）がＳｍ−Ｃｏ系（サマリウム−コバルト系）を用いる。上記Ｎｄ−Ｆｅ−Ｂ系の場合、一例として重量％で、Ｎｄ２６％、Ｆｅ６８％、Ｂ２％、Ｄｙ（デイスプロシウム）３％、Ｔｂ（テルビウム）１％の配合比の原料を用いる。Ｓｍ−Ｃｏ系の場合、ＳｍとＣｏ５を用いる例と、ＳｍとＣｏ１７を用いる例を上げることができる。上記ＳｍＣｏ５系の場合、重量％でＳｍ３４〜３７％、Ｃｏ５６６〜６３％の配合比の原料を用いる。又ＳｍＣｏ１７系の場合、Ｓｍ２０〜２８％、Ｆｅ１０〜２０％、Ｃｕ３〜１５％、Ｃｏ１７６７〜３７％の配合比の原料を用いる。但しこれらの配合比は適宜変更してもよい。
次いでＳｔｅｐ２の秤量後、Ｓｔｅｐ３で誘導加熱による高周波溶解法にて約１，０００℃〜１，５００℃位の温度で原料を溶解し、Ｓｔｅｐ４に示すように鋳型成形し、Ｓｔｅｐ５にて型ばらしたし、Ｓｔｅｐ６にてインゴット１７を得る。その後、Ｓｔｅｐ７、Ｓｔｅｐ８の粗粉砕、微粉砕を行う。例えば、ジョークラッシャーを用いて５０＃アンダーの粒子に粉砕し、次いでハンマーミルを用いて２００＃アンダーの粒子に粉砕する。
【００３５】
この後、Ｓｔｅｐ９に於いて磁界中成形を行う。
この磁界中成形の模式図を示したのが図１８である。この模式図の図１８に示す通り成形体１８の三次元方向をＸ−Ｘ軸、Ｙ−Ｙ軸、Ｚ−Ｚ軸で示すと、三次元の何れか一軸、例えばＹ−Ｙ軸に沿って上下よりプレスＰしながら三次元の他の一軸、例えばＸ−Ｘ軸に沿って磁界Ｈ１をかけ、Ｘ−Ｘ軸に沿った方向に容易磁化方向を形成し、容易磁化方向Ｘ−Ｘに結晶を揃える。
これによりＳｔｅｐ１０に示すようにブロック状成形体１８を得、次いでＳｔｅｐ１１，１２の順で常法に従い１０−５〜１０−６Ｔｏｒｒ、１１５０〜１２００℃程度で真空焼結、８００〜９００℃で真空熱処理を行う。
これによってブロック状焼結体１９を製する。
この後Ｓｔｅｐ１４によって個々に切断し、Ｓｔｅｐ１５に示すように単位永久磁石素材２０ａ，２０ｂ，２０ｃ…を得る。この切断に於いて、Ｘ−Ｘ線、Ｙ−Ｙ軸、Ｚ−Ｚ軸に、各個の永久磁石素材２０ａ，２０ｂ，２０ｃ…の左右側面、上下面、前後面が平行に揃うように切断する。つまり図２０に示すように１つの単位永久磁石素材２０ａ又は２０ｂ又は２０ｃの前後面をＴ１、側面をＲ１、上下面をＱ１とすると、容易磁化方向であるＸ−Ｘ線軸に対して上下面Ｑ１が平行に、前後面Ｔ１が平行になり、左右側面Ｒ１が直交することになる。換言すれば単位永久磁石素材２０ａ，２０ｂ，２０ｃ…は、一方の側面から他方の側面方向にかけて容易磁化方向Ｘ−Ｘが決められている。
【００３６】
この後、Ｓｔｅｐ１６及び図２１の模式図に示すように機械加工を行う。この実施形態では図１〜図１０に示した円柱状の単位永久磁石の各形態に加工する例である。元々各個に切断された単位永久磁石素材２０ａ，２０ｂ，２０ｃ…は、角柱状なので、図２１の一点鎖線に示すように左右側面Ｒ１と上下面Ｑ１を円柱状に研削、研摩等して加工する。符号Ｒは円柱状に加工された周面（側面）を示している。この図２１からも判るように円柱状の中心から周面Ｒに向う方向、即ち半径方向は容易磁化方向Ｘ−Ｘと同じ方向となる。その後、必要な面取り加工等適宜施す。
【００３７】
次いでＳｔｅｐ１７，１８に於いて銅，銀，亜鉛，スズ，イリジウムの内少なくとも一種の金属被膜を施す。例えば、下地層を形成後，電解メッキ法にて銅メッキを施す。この例の他非電解メッキや、蒸着法等可能な程々の被膜形成法を用いればよい。即ち常法に従い、Ｓｔｅｐ１７で円柱状に加工された単位永久磁石素材２０ａ，２０ｂ，２０ｃ…の表面の酸化物、油脂等を除去し、先ず下地層を電解メッキ法で形成する。
一例としては、銅１５ミクロン程度、ニッケル１０ミクロン程度の厚さに形成する。次にＳｔｅｐ１８で銅メッキ層１０を２０〜３０ミクロンの厚さに形成する。この表面の抗菌性金属は皮膚の分泌物，汗や垢の老廃物に接すると、先にも述べたように銅イオン，銀イオン，亜鉛イオン，スズイオン，イリジウムイオンを長期に渡って出し、その触媒作用によって抗菌性を発揮することが知られている。例えば、ブドウ球菌，連鎖状球菌，桿菌の一種であるシュードモナス菌，好気性桿菌に対して殺菌又は抗菌作用をするといわれている。中でも銅は、水虫の原因とされている白セン菌を殺菌するといわれている。従って使用時空気中でゆっくりと酸化して酸化銅へ変わっていく過程で白セン菌を除菌するといわれている。従って図１のように足の指３の皮膚１００にこの銅の膜が形成された単位永久磁石を接触させておくと、水虫の治りがよくなることが確認された。
【００３８】
続いてＳｔｅｐ１９及び図２２に示すように単位永久磁石を得るべく着磁する。着磁に当っては、容易磁化方向Ｘ−Ｘに沿って磁界Ｈ２をかけて着磁する。着磁方法は、色々なものを用いることができるが、一つはパルス電源を用いて行うことができる。
これによって円柱状の単位永久磁石２１ａ，２１ｂ，２１ｃ…を製造できる。
この円柱状の単位永久磁石２１ａ，２１ｂ，２１ｃ…は、容易磁化方向Ｘ−Ｘが円柱状の軸線に対して直交する径方向なので周面Ｒの一方がＮ極、径方向の反対に位置する他方がＳ極となる。
このように容易磁化方向Ｘ−Ｘに沿って着磁する異方性磁石としたので強力な磁石とすることができる。而も容易磁化方向Ｘ−Ｘは単位永久磁石２１ａ，２１ｂ，２１ｃ…の半径方向に沿っているので、図２３の模式図に示すように周面の容易磁化方向に沿った一部に強い磁力が表れる。従って円柱状の単位永久磁石２１ａ，２１ｂ，２１ｃ…どうしは、端面Ｔで互いに接合することなく周面Ｒの容易磁化方向に沿った一部で互いに磁気接合する。従って円柱状の単位永久磁石２１ａ，２１ｂ，２１ｃ…が互いに周面Ｒの容易磁化方向に沿った一部で磁気接合されて、リング状となりＳｔｅｐ２１に示すように永久磁石リング１となる。図２３に於いては下地層９，１０と銅メッキ層１１が図示されている。
【００３９】
上記単位永久磁石２１ａ，２１ｂ，２１ｃ…は異方性磁石であり、而も原料として希土類を用いているので強力な一軸異方性磁石となる。従ってこれら単位永久磁石２１ａ，２１ｂ，２１ｃ…を円柱状の容易磁化方向に沿った側面（円柱状の周面）にて互いに磁気吸着して永久磁石リング１とした場合、リング状に保つ磁気吸着力は強く、手首等に付けた場合、腕を振り回し等しても脱落する恐れはない。ところで図２４に示すように、この永久磁石リング１を手首２等で装着した場合、上述したように上記単位永久磁石２１ａ，２１ｂ，２１ｃ…は、互いの周面（側面）で強力に磁気吸着し合うが、単位永久磁石２１ａ，２１ｂ，２１ｃ…はリング状、輪状になって吸着し合っているので、磁束は閉磁路Ｋとなる。従って、手首２等に直接磁力線が作用しない。
手首２に作用するのは漏洩磁束Ｌである。従って強力な磁力作用が身体に加わって身体に思わぬ副作用を生ぜしめることがない。漏洩磁束による磁気作用によって副作用等を生ぜしめることなく血行促進等を図ることができる。
つまり、永久磁石リングの形崩れ防止、脱落防止の為に単位永久磁石同志の磁気結合を強くすると、その強い磁気結合を生ずる磁束密度の濃い磁力作用が生じ、身体に思わぬ副作用が生ずる危険がある。逆に身体に適度であって、血行促進等に丁度よい磁力作用を与える程度の磁化の強さにすると、単位永久磁石同志の磁気結合が弱く、永久磁石リングの形崩れや、単位永久磁石の外落が生じかねない。このように相容れない点があるわけであるが、本発明は単位永久磁石を一軸異方性磁石とし、それをリング状にしたものであるから、単位永久磁石同志が側面で互いに強力な磁気吸着し合い、その強力に磁気吸着し合うことによる磁力線の手首等へ作用は、閉磁路の為に直接作用せず、単位永久磁石２１ａ，２１ｂ，２１ｃ…間のＮ極からＳ極へ向う漏洩磁束によって行われるので適度に抑制された強さとなる。それでも単位永久磁石を強力に磁気結合する強さに定められていて、その漏洩磁束であるから、不測の副作用を生ぜしめることなく血行等を十分促進させるに十分となる。特に一周当り多数の単位永久磁石が配置されているので、身体装着部位，例えば足の指回りに多数の単位永久磁石が位置し、皮膚に接する個数が多くなる。従って各単位永久磁石表面の抗菌性金属による抗菌作用が効果的に行なわれる。
【００４０】
そして単位永久磁石２１ａ，２１ｂ，２１ｃ…が、上述したように一軸異方性磁石であることにより互いに強力に、円柱状の側面の容易磁化方向に沿う側面で磁気結合しているものであるが、その態様をみると図２５のように単位永久磁石２１ａ，２１ｂ，２１ｃ…同志は周面（側面）Ｒに於いて円柱状の軸方向に沿って線接触の態様で結合している。従って実線図示の状態から一点鎖線図示の状態のように、磁気結合の方向への離脱の為には大きな力を要しても、矢示Ｖのように離脱方向ではない方向（非離脱方向）であれば極めて弱い力で動き得るものである。従ってリング状にすることが容易である上に、単位永久磁石の数を変えてリングの大きさを変えることも簡単にできる。従って、身体装着部位の皮膚の凹凸，湾曲，起状に合わせて各単位永久磁石の吸着位置を自在に，微妙に変化でき、各単位永久磁石を個々に皮膚に接触せしめ易い。
【００４１】
上記円柱状の永久磁石２１ａ，２１ｂ，２１ｃ…の具体的な例の互いに吸着し合う側面Ｒの残留磁束密度（Ｂｒ）は６ＫＧ〜１５ＫＧ、０．６Ｔ〜１．５Ｔ、６００ｍＴ〜１５００ｍＴが好適であり、これを身体に装着した場合、身体の肌に接触している部分の表面磁束密度、即ち漏洩磁束密度（Ｂｒ）は３５ｍＴ〜２００ｍＴが好適であり、又保磁力（Ｈｃｊ）は１０ＫＯｅ〜４０ＫＯｅ、最大エネルギー積（ＢＨ）ｍａｘは１２〜５０ＭＧＯｅの範囲が好適である。
【００４２】
さて、上記の実施形態は円柱状の単位永久磁石の例であったが、図２６〜図２８に示す球の場合でも、一軸異方性の永久磁石とすることができる。
即ち、焼結した単位永久磁石素材２０ａ，２０ｂ，２０ｃの容易磁化方向をＸ−Ｘとし、そのように定めた素材を研摩加工して球とし、その後に銅，銀，亜鉛，スズ，イリジウムのうち少なくとも一種の抗菌性を備えた金属の被膜形成を行なった後に、上記容易磁化方向Ｘ−Ｘ線に沿って磁界Ｈ２をかけて着磁を行う。
これにより球状の単位永久磁石２１ａ，２１ｂ，２１ｃ…の周面（側面）Ｒの一方の部分がＮ極、径方向の反対に位置する他方の部分がＳ極となり、強力な一軸異方性の球状の永久磁石を加工できる。
この実施形態の場合も、円柱状永久磁石と同様に球状の単位永久磁石２１ａ，２１ｂ，２１ｃ…が強力に磁気吸着し合う。しかもそれらの多数を結合して輪状として、永久磁石リングとした場合には閉磁路になり強力に吸着し合う磁力を生じても、身体に不測の作用を与えない。つまり身体の腕に作用する磁力線は漏洩磁束態様となり、適度な作用となる。
加えて、球の周面の一部同志で点接触又は線接触態様にて磁気吸着し合っているので、球状の単位永久磁石２１ａ，２１ｂ，２１ｃ…の互いの磁気吸着位置を自由に容易に変えることができる。図２７に於いては下地層９，１０と銅メッキ層１１が図示されている。
【００４３】
次に図２９〜図３１に示す平盤状の場合でも、一軸異方性の永久磁石とすることができる。
即ち、焼結した単位永久磁石素材２０ａ，２０ｂ，２０ｃの容易磁化方向をＸ−Ｘとし、そのように定めた素材を研摩加工して盤状とし、その後にメッキ加工、珪酸質の透明コーティング層の形成を行なった後に、上記容易磁化方向Ｘ−Ｘ線に沿って磁界Ｈ２をかけて着磁を行う。
これにより平盤状の単位永久磁石２１ａ，２１ｂ，２１ｃ…の側面Ｒの一方がＮ極、反対に位置する他方の側面ＲがＳ極となり、強力な一軸異方性の盤状の永久磁石を加工できる。
この実施形態の場合も、先の例と同様に図３０で下地層９，１０と銅メッキ層１１が示されていると共に図３１のように平盤状の単位永久磁石２１ａ，２１ｂ，２１ｃ…が強力に磁気吸着し合う点が示されている。しかもそれらの多数を結合して輪状として、永久磁石リングとした場合には閉磁路になり強力に吸着し合う磁力を生じても、身体に不測の作用を与えない。つまり身体の腕に作用する磁力線は漏洩磁束態様となり、適度な作用となる。
加えて、盤状の側面同志で線接触態様にて磁気吸着し合っているので、平盤状の単位永久磁石２１ａ，２１ｂ，２１ｃ…の互いの磁気吸着位置を自由に容易に変えることができる。上記側面Ｒは湾曲面（アール面）となっているので、平盤状の単位永久磁石２１ａ，２１ｂ，２１ｃ…同志は上述したように線接触態様にて磁気吸着している。
【図面の簡単な説明】
【００４４】
【図１】本発明の実施の形態の抗菌性を備えた永久磁石リングを足の指に装着している様子を示す図である。
【図２】本発明の実施の形態の抗菌性を備えた永久磁石リングを足首に装着している様子を示す図である。
【図３】本発明の実施の形態の抗菌性を備えた永久磁石リングを手首に装着している様子を示す図である。
【図４】実施の形態の抗菌性を備えた永久磁石リングを構成する円柱状の単位永久磁石の一例を示す斜視図である。
【図５】図４の実施の形態の抗菌性を備えた永久磁石リングの平面形状を示す図である。
【図６】図４の複数の抗菌性を備えた単位永久磁石が磁気吸着により互いに接続されている様子を示す図である。
【図７】ａ，ｂに示したように大きさが互いに異なる円柱状の抗菌性を備えた単位永久磁石を形成した様子を説明する斜視図である。
【図８】図７の大きさが異なる抗菌性を備えた単位永久磁石を互いに磁気吸着して永久磁石リングを構成した例を示す図である。
【図９】図４の円柱状の抗菌性を備えた単位永久磁石の希土類の表面にニッケルの下地層を形成し、その上に銅メッキ層を形成した例を示す断面図である。
【図１０】図４の円柱状の抗菌性を備えた単位永久磁石の希土類の表面に銅の下地層，ニッケルの下地層を形成し，表面に銅メッキ層を形成した例を示す断面図である。
【図１１】球状の抗菌性を備えた単位永久磁石の複数より成る永久磁石リングを示す平面図である。
【図１２】ａ，ｂ共に抗菌性を備えた球状単位永久磁石の断面を示し、ａは、図１１の１１−１１線に沿って示した球状単位永久磁石の断面図であり、ｂは図１１の１２−１２線に沿って示した球状単位永久磁石の断面図である。
【図１３】平盤状の抗菌性を備えた単位永久磁石を示し、ａは部分断面を含む平面図、ｂは上面図、ｃは側面図である。
【図１４】図１３に示した実施形態の抗菌性を備えた平盤状の単位永久磁石の複数より成る永久磁石リングの平面図である。
【図１５】抗菌性を備えた円盤状の単位永久磁石を互いに磁気吸着したところを示し、ａは部分断面を含む平面図、ｂは上面図である。
【図１６】略四角状の抗菌性を備えた単位永久磁石を互いに磁気吸着したところを示し、ａは部分断面を含む平面図、ｂは上面図である。
【図１７】一軸異方性の抗菌性を備えた単位永久磁石及び永久磁石リングの製造工程図である。
【図１８】図１７の製造工程中Ｓｔｅｐ９の磁界中成形を示す図である。
【図１９】図１７の製造工程中Ｓｔｅｐ１４のプロック状焼結体の切断を示す図である。
【図２０】図１９の切断によって得られた単位永久磁石素材を示す図である。
【図２１】図１７の製造工程中Ｓｔｅｐ１６の研摩等加工を示す図である。
【図２２】図１７の製造工程中、Ｓｔｅｐ１９の円柱状単位永久磁石の着磁工程を示す図である。
【図２３】図２２の着磁工程によって一軸異方性磁石に着磁された抗菌性を備えた円柱状単位永久磁石の断面図である。
【図２４】図２２の着磁工程によって製せられた抗菌性を備えた一軸異方性単位永久磁石の複数を互いに磁気吸着して永久磁石リングとした場合の閉磁路、漏洩磁束の説明図である。
【図２５】抗菌性を備えた一軸異方性円柱状の単位永久磁石の互いの磁気吸着関係の説明図である。
【図２６】抗菌性を備えた一軸異方性の球状の単位永久磁石の加工を説明する図である。
【図２７】抗菌性を備えた一軸異方性の球状の単位永久磁石の図である。
【図２８】抗菌性を備えた一軸異方性の球状の単位永久磁石同志の磁気吸着説明図である。
【図２９】抗菌性を備えた一軸異方性の平盤状の単位永久磁石の加工を説明する図である。
【図３０】抗菌性を備えた一軸異方性の平盤状の単位永久磁石の図である。
【図３１】抗菌性を備えた一軸異方性の平盤状の単位永久磁石同志の磁気吸着説明図である。
【符号の説明】
【００４５】
１      永久磁石リング
２      手首
３      足の指
４      足首
５ａ，５ｂ，５ｃ，５ｄ…  抗菌性を備えた円柱状単位永久磁石
Ｔ      端面
Ｒ      側面（周面）
６ａ，６ｂ，６ｃ…  抗菌性を備えた円柱状単位永久磁石
７ａ，７ｂ…  抗菌性を備えた円柱状単位永久磁石
８      希土類磁石材
９      下地層
１０    下地層
１１    抗菌性の金属の被覆（銅メッキ層）
１２ａ，１２ｂ，１２ｃ…  抗菌性を備えた球状単位永久磁石
１３ａ，１３ｂ，１３ｃ…  抗菌性を備えた平盤状単位永久磁石
Ｅ      表面
Ｇ      上面
１４ａ，１４ｂ，１４ｃ…  抗菌性を備えた円盤状単位永久磁石
１５ａ，１５ｂ，１５ｃ…  抗菌性を備えた四角状単位永久磁石
１６    原料
１７    インゴット
１８    ブロック状成形体
１９    ブロック状焼結体
２０ａ，２０ｂ，２０ｃ…  一軸異方性単位永久磁石素材
２１ａ，２１ｂ，２１ｃ…  抗菌性を備えた一軸異方性単位永久磁石
Ｘ−Ｘ    容易磁化方向
Ｈ１，Ｈ２    磁界をかける方向
Ｔ１    前後面
Ｑ１    上下面
Ｒ１    側面
Ｌ      漏洩磁束
Ｋ      閉磁路
Ｖ      非離脱方向
１００  皮膚
【図１】
2005230201.tif 000003
【図２】
2005230201.tif 000004
【図３】
2005230201.tif 000005
【図４】
2005230201.tif 000006
【図５】
2005230201.tif 000007
【図６】
2005230201.tif 000008
【図７】
2005230201.tif 000009
【図８】
2005230201.tif 000010
【図９】
2005230201.tif 000011
【図１０】
2005230201.tif 000012
【図１１】
2005230201.tif 000013
【図１２】
2005230201.tif 000014
【図１３】
2005230201.tif 000015
【図１４】
2005230201.tif 000016
【図１５】
2005230201.tif 000017
【図１６】
2005230201.tif 000018
【図１７】
2005230201.tif 000019
【図１８】
2005230201.tif 000020
【図１９】
2005230201.tif 000021
【図２０】
2005230201.tif 000022
【図２１】
2005230201.tif 000023
【図２２】
2005230201.tif 000024
【図２３】
2005230201.tif 000025
【図２４】
2005230201.tif 000026
【図２５】
2005230201.tif 000027
【図２６】
2005230201.tif 000028
【図２７】
2005230201.tif 000029
【図２８】
2005230201.tif 000030
【図２９】
2005230201.tif 000031
【図３０】
2005230201.tif 000032
【図３１】
2005230201.tif 000033